(57)【要約】【課題】露光合わせずれが存在する場合に、露光スキャン速度の低下を抑えながら、露光合わせずれの精度を高めることができる露光方法を提供する。【解決手段】実施形態によれば、まず、ショット領域の合わせずれに対応してスリット幅を変更した補正プロットを生成する。ついで、前記補正プロットの前記スリット幅に応じて各座標で所望の露光量が得られる、フォトマスクを載置するフォトマスクステージと被加工物が載置されるステージとの間の相対的な露光スキャン速度を設定する。そして、前記補正プロットと前記露光スキャン速度とにしたがって、露光スリットの前記スリット幅と、前記フォトマスクステージおよび前記ステージと、を制御しながら露光処理を実行する。【選択図】図８
2020126140.tif 000002
【特許請求の範囲】
【請求項１】
ショット領域の合わせずれに対応してスリット幅を変更した補正プロットを生成し、
前記補正プロットの前記スリット幅に応じて各座標で所望の露光量が得られる、フォトマスクを載置するフォトマスクステージと被加工物が載置されるステージとの間の相対的な露光スキャン速度を設定し、
前記補正プロットと前記露光スキャン速度とにしたがって、露光スリットの前記スリット幅と、前記フォトマスクステージおよび前記ステージと、を制御しながら露光処理を実行する露光方法。
【請求項２】
前記補正プロットの生成は、
合わせずれデータを取得し、
前記合わせずれデータに対応するずれ補正波形を生成し、
前記ずれ補正波形の各座標におけるずれ指標を算出し、
前記ずれ指標と前記スリット幅との関係を規定したスリット幅設定情報を取得して、スリット幅条件を設定し、
前記スリット幅条件を参照して、各座標での前記ずれ指標に対応する前記スリット幅を設定した前記補正プロットを生成することを含む請求項１に記載の露光方法。
【請求項３】
前記補正プロットの生成は、
前記補正プロットと前記ずれ補正波形との差が許容範囲内であるかを判定することをさらに含み、
前記露光スキャン速度の設定では、前記差が許容範囲内である場合に前記露光スキャン速度が設定される請求項２に記載の露光方法。
【請求項４】
前記スリット幅設定情報は、前記ずれ指標の絶対値が小さいほど前記スリット幅が大きくなるように、前記ずれ指標に対して複数の前記スリット幅が対応付けられ、
前記補正プロットの生成は、
前記差が許容範囲内でない場合に、前記スリット幅設定情報から、現在設定されている前記スリット幅のつぎに大きいスリット幅を前記スリット幅条件に再設定し、
その後に前記補正プロットの生成を実行することをさらに含む請求項３に記載の露光方法。
【請求項５】
光源と、フォトマスクを載置し、前記フォトマスクの載置面に平行な方向に移動可能なフォトマスクステージと、前記光源からの光を前記フォトマスクに照射する照明光学系と、被加工物を載置し、前記被加工物の載置面に平行な方向に移動可能なステージと、前記フォトマスクを通過した光を前記ステージ上の前記被加工物に投影する投影光学系と、前記照明光学系からの光の照射量を調整し、スリット幅を変更可能な露光スリットと、を備える露光処理部と、
前記露光処理部を制御する制御部と、
を備え、
前記制御部は、前記被加工物のショット領域の露光処理中に、前記被加工物の合わせずれ量に対応して前記露光スリットのスリット幅と、前記フォトマスクステージと前記ステージとの間の相対的な露光スキャン速度と、を変更する露光装置。
【発明の詳細な説明】
【技術分野】
【０００１】
本発明の実施形態は、露光方法および露光装置に関する。
【背景技術】
【０００２】
露光処理では、照明光は、露光スリットを通り、露光パターンを規定する露光マスクへと入射され、露光マスクおよび感光性基板を同期して露光スキャンすることで感光性基板上にパターニングが行われる。
【０００３】
しかしながら、従来技術では、１つのショット領域の露光処理中では、露光スリットの幅（以下、スリット幅という）は固定されている。そのため、露光合わせずれが存在する場合には、露光スキャン速度は下がるがスリット幅を１つのショット領域前に狭めて、露光合わせずれの補正を細かく行うか、あるいは露光スキャン速度を重視して、露光合わせずれの精度を落としていた。
【先行技術文献】
【特許文献】
【０００４】
【特許文献１】特開２００７−１２９１０２号公報
【発明の概要】
【発明が解決しようとする課題】
【０００５】
本発明の一つの実施形態は、露光合わせずれが存在する場合に、露光スキャン速度の低下を抑えながら、露光合わせずれの精度を高めることができる露光方法および露光装置を提供することを目的とする。
【課題を解決するための手段】
【０００６】
本発明の一つの実施形態によれば、まず、ショット領域の合わせずれに対応してスリット幅を変更した補正プロットを生成する。ついで、前記補正プロットの前記スリット幅に応じて各座標で所望の露光量が得られる、フォトマスクを載置するフォトマスクステージと被加工物が載置されるステージとの間の相対的な露光スキャン速度を設定する。そして、前記補正プロットと前記露光スキャン速度とにしたがって、露光スリットの前記スリット幅と、前記フォトマスクステージおよび前記ステージと、を制御しながら露光処理を実行する。
【図面の簡単な説明】
【０００７】
【図１】図１は、実施形態による露光装置の概略構成を示す図である。
【図２】図２は、実施形態による露光スリットの構成の一例を示す上面図である。
【図３】図３は、合わせずれデータの一例を示す図である。
【図４】図４は、ずれ補正波形の一例を示す図である。
【図５】図５は、スリット幅設定情報の一例を示す図である。
【図６】図６は、補正プロットの一例を示す図である。
【図７】図７は、スリット幅とずれ追従性と露光スキャン速度との関係を示す図である。
【図８】図８は、実施形態による露光方法の手順の一例を示すフローチャートである。
【図９】図９は、露光スリットの構成の他の例を示す図である。
【図１０】図１０は、露光装置における遮光方法の一例を示す図である。
【図１１】図１１は、制御部のハードウェア構成の一例を示す図である。
【発明を実施するための形態】
【０００８】
以下に添付図面を参照して、実施形態にかかる露光方法および露光装置を詳細に説明する。なお、この実施形態により本発明が限定されるものではない。
【０００９】
図１は、実施形態による露光装置の概略構成を示す図である。露光装置１は、露光処理部１０と、制御部２０と、を備える。露光処理部１０は、光源１１と、ウェハステージ１２と、フォトマスクステージ１３と、を有する。光源１１として、たとえばＡｒＦエキシマレーザ光を出力するレーザ光源などが用いられる。ウェハステージ１２は、被加工物である半導体基板（ウェハ）４０を載置する。フォトマスクステージ１３は、光源１１とウェハステージ１２との間に設けられ、フォトマスク５５を載置する。
【００１０】
また、露光処理部１０は、照明光学系１４と、投影光学系１５と、を備える。照明光学系１４は、光源１１からの光をフォトマスク５５に照射する。投影光学系１５は、フォトマスク５５を通過した光を半導体基板４０上に投影する。
【００１１】
さらに、露光処理部１０は、ウェハステージ駆動機構１６と、フォトマスクステージ駆動機構１７と、露光スリット１８と、有する。ウェハステージ駆動機構１６は、ウェハステージ１２を半導体基板４０の載置面に平行な方向に移動させる。フォトマスクステージ駆動機構１７は、フォトマスクステージ１３をフォトマスク５５の載置面に平行な方向に移動させる。
【００１２】
露光スリット１８は、半導体基板４０に入射する光の範囲（露光領域）を規定するためにフォトマスクステージ１３の光源１１側に設けられる。図２は、実施形態による露光スリットの構成の一例を示す上面図である。露光スリット１８は、角筒状のスリット本体部１８１と、２つの矩形状の遮光部１８２と、を有する。遮光部１８２は、スリット本体部１８１の開口部１８３の長辺１８１ａに沿って配置され、図示しない駆動機構によって短辺１８１ｂの延在方向に移動可能に構成されている。これによって、短辺１８１ｂ方向に配置された２つの遮光部１８２間の距離であるスリット幅Ｗを変更することができる。なお、図２で、光の入射方向は紙面に垂直な方向となる。
【００１３】
制御部２０は、露光処理部１０を制御する。制御部２０は、合わせずれデータ取得部２１と、ずれ補正波形生成部２２と、ずれ指標算出部２３と、露光スリット設定情報記憶部２４と、スリット幅設定部２５と、補正プロット生成部２６と、補正プロット判定部２７と、露光スキャン速度設定部２８と、露光制御部２９と、を有する。
【００１４】
合わせずれデータ取得部２１は、露光対象の半導体基板４０のショット領域の合わせずれデータを取得する。合わせずれデータは、過去に露光処理を行った結果得られる半導体基板４０の上層と下層との間の合わせずれの結果である実計測データでもよいし、照明条件、半導体基板４０に形成するパターン、露光処理部１０の収差などを加味したシミュレーションによって得られるシミュレーション結果でもよい。図３は、合わせずれデータの一例を示す図である。この図で、横軸は、露光対象のショット領域における露光スキャン方向の位置を示し、縦軸は、合わせずれ量を示している。この例では、ショット領域の露光スキャン方向の両端部ほど合わせずれが大きく、中央付近では合わせずれ量は略０となっているものとする。
【００１５】
ずれ補正波形生成部２２は、合わせずれデータから露光処理によって合わせずれを補正するために必要なずれ補正波形を生成する。ずれ補正波形は、合わせずれデータの各座標での合わせずれ量の符号を反転させたものである。図４は、ずれ補正波形の一例を示す図である。この図で、横軸は、露光対象のショット領域における露光スキャン方向の位置を示し、縦軸は、補正量を示している。図４は、図３を横軸に対して反転させたものである。
【００１６】
ずれ指標算出部２３は、ずれ補正波形から、各座標での合わせずれの度合いを示すずれ指標を算出する。ずれ指標として、各座標での補正量、あるいは各座標でのずれ補正波形の傾きなどが例示される。ずれ補正波形の傾きは、ずれ補正波形を微分することによって算出される。
【００１７】
露光スリット設定情報記憶部２４は、スリット幅を変化させて露光する際の、スリット幅と所定の露光量となる露光スキャン速度と、を設定する際に用いられる露光スリット設定情報を記憶する。露光スリット設定情報は、ずれ指標に対して所定の精度以上で補正することが可能なスリット幅を対応付けたスリット幅設定情報を含む。
【００１８】
スリット幅設定情報は、例えば、ずれ指標の範囲に対してスリット幅を対応付けたものである。また、ずれ指標の範囲に対応付けられるスリット幅は複数設けられる。複数設けられるスリット幅は、値が大きいものから小さいものへと順にスリット幅設定部２５によって選択される。図５は、スリット幅設定情報の一例を示す図である。この例では、露光処理中に２つのスリット幅で露光する場合を示している。ずれ指標の絶対値がＡ以下である場合には、スリット幅はＢとされ、ずれ指標の絶対値がＡ以上である場合には、スリット幅はＣ１，Ｃ２，Ｃ３，・・・（Ｃ１＞Ｃ２＞Ｃ３＞・・・）とされる。なお、ずれ指標の絶対値がＡである場合には、どちらのスリット幅を選択してもよい。
【００１９】
また、スリット幅は、露光スリット１８が装置的に可動可能な範囲で設定される。さらに、スリット幅は、平均化効果（保証規格）に影響を与えない範囲で設定される。例えば、投影光学系１５のレンズの表面に細かい段差が存在する場合に、スリット幅が広い場合にはこの段差部分に光が照射されても、光の照射範囲で平均化されるので、段差部分による影響は小さくなる。しかし、スリット幅が狭い場合には、この段差部分に光が照射されてしまうと、平均化されず、段差部分による影響が大きくなってしまう。そのため、このような段差部分が存在する場合でも、その影響が平均化される範囲でスリット幅が設定される。
【００２０】
露光スリット設定情報は、スリット幅に対して所定の露光量を得るための露光スキャン速度を規定した露光スキャン速度設定情報を含む。ショット領域を露光している間は、各位置での光の照射量は所定量でなければならない。そのため、各位置に照射される光が所定量となる露光スキャン速度を、スリット幅ごとに予め定めておく。これを規定したものが、露光スキャン速度設定情報である。
【００２１】
スリット幅設定部２５は、補正プロットを生成するにあたって、露光スリット設定情報記憶部２４からスリット幅設定情報を取得し、スリット幅条件を設定する。例えば図５のスリット幅設定情報では、ずれ指標の絶対値がＡ以下の場合のスリット幅はＢで固定であるが、Ａ以上の場合のスリット幅は、Ｃ１，Ｃ２，Ｃ３，・・・と複数存在する。そこで、スリット幅設定部２５は、最初の補正プロットの生成時には、ずれ指標の絶対値がＡ以下の場合はスリット幅がＢであり、Ａ以上の場合はスリット幅が最も大きいＣ１であるスリット幅条件を設定する。
【００２２】
また、スリット幅設定部２５は、補正プロット判定部２７で補正プロットとずれ補正波形との差分が許容範囲でないと判定された場合に、ずれ指標の絶対値がＡ以上の場合のスリット幅として、現在設定されているスリット幅のつぎに大きいスリット幅を選択したスリット幅条件を再設定する。例えば、現在、ずれ指標の絶対値がＡ以上の場合のスリット幅としてＣ１が設定されている場合には、Ｃ２が設定される。
【００２３】
補正プロット生成部２６は、設定されたスリット幅条件を参照して、座標ごとにずれ指標に対応するスリット幅を設定した補正プロットを生成する。図６は、補正プロットの一例を示す図である。図６で、横軸は露光スキャン方向の位置を示し、縦軸は補正量を示している。また、図６では、図４のずれ補正波形に重ねて露光スリット１８を配置した場合を示している。この図に示されるように、補正量が少ない領域Ｒ２では、大きいスリット幅Ｂが設定され、補正量が大きくなる領域Ｒ１，Ｒ３では、小さいスリット幅Ｃ１が設定された補正プロットが生成される。
【００２４】
補正プロット判定部２７は、ずれ補正波形と補正プロットとの差が許容範囲内であるかを判定する。許容範囲は、例えば補正プロットに対応する条件で露光スリット１８を変化させて露光処理を行ったときの合わせずれ量が所望の精度以上となる範囲とされる。ずれ補正波形と補正プロットとの差が許容範囲内であるか否かは、例えば、相関係数Ｒの２乗である決定係数を用いて判定することができる。なお、許容範囲は、スペックの範囲としてもよい。補正プロット判定部２７は、差が許容範囲内でない場合には、スリット幅設定部２５にその旨を通知する。
【００２５】
露光スキャン速度設定部２８は、ずれ補正波形と補正プロットとの差が許容範囲内である場合に、各座標に設定されたスリット幅ごとに所望の露光量が得られる露光スキャン速度を設定する。露光スキャン速度設定部２８は、露光スリット設定情報記憶部２４中の露光スキャン速度設定情報を参照して、スリット幅に対応する露光スキャン速度を取得することができる。なお、露光スキャン速度は、計算によって求めてもよい。例えば、露光スキャン速度は、次式（１）によって求められる。
露光スキャン速度＝基準露光スキャン速度×設定スリット幅／基準スリット幅  ・・・（１）
【００２６】
図７は、スリット幅とずれ追従性と露光スキャン速度との関係を示す図である。露光スリット１８の幅単位で合わせずれに対する補正が行われる。そのため、スリット幅が広い場合には、例えば図６の領域Ｒ１，Ｒ３のような位置でのずれ追従性が低くなるが、露光スキャン速度は高くすることが可能である。一方、スリット幅が狭い場合には、例えば図６の領域Ｒ１，Ｒ３のような位置でのずれ追従性が高くなるが、露光スキャン速度は低下してしまう。
【００２７】
従来では、１つのショット領域では、露光スリット１８の幅は固定されていた。例えばショット領域の露光スキャン方向の全体にわたって合わせずれがそれほど発生していない場合には、幅の広い露光スリット１８を使用して露光スキャン速度を高めることができる。また、合わせずれが発生している場合には、幅の狭い露光スリット１８を使用してずれ追従性を高めることができる。しかし、この場合には、幅の広い露光スリット１８を使用した場合に比して、露光スキャン速度が低下してしまう。
【００２８】
一方、本実施形態では、図６に示されるように、１つのショット領域内で、ずれ指標の大きさに応じてスリット幅を変えるようにした。これによって、ずれが許容範囲内の領域では、幅の広い露光スリット１８で露光を行って露光スキャン速度を高め、ずれが許容範囲を超える領域では、幅の狭い露光スリット１８で露光を行ってずれ追従性を高めることができる。また、幅の狭い露光スリット１８で露光を行うのは、ずれが許容範囲を超える領域であるので、ショット領域の全体を幅の狭い露光スリット１８で露光を行う場合に比して、露光処理に要する時間を短くすることが可能となる。
【００２９】
露光制御部２９は、生成された補正プロットと設定された露光スキャン速度とを用いて、露光処理部１０を制御する。例えば、露光制御部２９は、光源１１と、ウェハステージ駆動機構１６、フォトマスクステージ駆動機構１７および露光スリット１８を制御する。
【００３０】
つぎに、このような構成の露光装置における露光方法について説明する。図８は、実施形態による露光方法の手順の一例を示すフローチャートである。まず、制御部２０の合わせずれデータ取得部２１は、露光するショット領域に関する合わせずれデータを取得する（ステップＳ１１）。合わせずれデータ取得部２１は、例えば、図３に示される合わせずれデータを取得する。合わせずれデータは、実際に計測されたデータでもよいし、シミュレーションで得られた結果でもよい。
【００３１】
ついで、ずれ補正波形生成部２２は、合わせずれデータに対するずれ補正波形を生成する（ステップＳ１２）。ずれ補正波形は、合わせずれデータの各座標の値の符号を反転させたものとすることができる。ずれ補正波形生成部２２は、例えば、図４に示されるずれ補正波形を生成する。
【００３２】
その後、ずれ指標算出部２３は、ずれ補正波形の各座標におけるずれ指標を算出する（ステップＳ１３）。ずれ指標として、ずれ補正波形の各座標での絶対値でもよいし、傾きの絶対値でもよい。
【００３３】
ついで、スリット幅設定部２５は、露光スリット設定情報記憶部２４中からスリット幅設定情報を取得し、スリット幅条件を設定する（ステップＳ１４）。例えば、図５で、ずれ指標の絶対値がＡ以下の場合には、スリット幅をＢとし、Ａ以上の場合にはスリット幅をＣ１とするようにスリット幅条件を設定する。
【００３４】
その後、補正プロット生成部２６は、スリット幅条件を参照して、各座標について、算出したずれ指標に対応するスリット幅を設定した補正プロットを生成する（ステップＳ１５）。例えば、図６に示されるように、ずれ補正波形から得られるずれ指標に応じて、領域Ｒ２ではスリット幅Ｂを設定し、領域Ｒ１，Ｒ３ではスリット幅Ｃ１を設定する。
【００３５】
その後、補正プロット判定部２７は、ステップＳ１５で生成した補正プロットとステップＳ１２で生成したずれ補正波形との差が許容範囲内であるかを判定する（ステップＳ１６）。例えば、両者の差が所望の精度以上を達成することができる範囲であるかを判定する。例えば、この判定は、決定係数を用いて行われる。
【００３６】
補正プロットとずれ補正波形との差が許容範囲外である場合（ステップＳ１６でＮｏの場合）には、スリット幅設定部２５は、スリット幅設定情報から、現在のスリット幅のつぎに大きいスリット幅を選択し、スリット幅条件に設定する（ステップＳ１７）。その後、ステップＳ１５に処理が戻る。補正プロットとずれ補正波形の差が許容範囲内となるまで、ステップＳ１５〜Ｓ１７の処理が繰り返し実行される。例えば、図６では、領域Ｒ１，Ｒ３のスリット幅がＣ１となっているが、スリット幅がＣ２，Ｃ３と順に小さくなるように補正プロットが生成される。
【００３７】
一方、補正プロットとずれ補正波形との差が許容範囲内である場合（ステップＳ１６でＹｅｓの場合）には、露光スキャン速度設定部２８は、露光スキャン速度設定情報にしたがって、スリット幅に応じて各座標に所望の露光量が得られる露光スキャン速度を設定する（ステップＳ１８）。具体的には、スリット幅が狭い座標位置では、スリット幅が広い座標位置に比較して露光スキャン速度が高く設定される。
【００３８】
そして、露光制御部２９は、補正プロットおよび露光スキャン速度にしたがって、露光スリット１８、ウェハステージ駆動機構１６およびフォトマスクステージ駆動機構１７を制御し、露光処理を行う（ステップＳ１９）。以上で、処理が終了する。
【００３９】
図２では、露光スリット１８の遮光部１８２は、矩形状を有していたが、実施形態がこれに限定されるものではない。図９は、露光スリットの構成の他の例を示す図である。図９（ａ）では、遮光部１８２が、チェーン１８２ａと、チェーン１８２ａに設けられる板状部材１８２ｂと、で構成される。チェーン１８２ａは、スリット本体部１８１の長辺１８１ａの延在方向に沿って回転可能な構成を有する。例えば、上記した例で、スリット幅がより広いＢが選択される場合には、チェーン１８２ａの回転によって、板状部材１８２ｂが設けられていない位置がスリット本体部１８１の内部に位置するように配置される。また、スリット幅がより狭いＣ１が選択される場合には、図９（ａ）に示されるように、チェーン１８２ａの回転によって、板状部材１８２ｂが設けられている位置がスリット本体部１８１の内部に位置するように配置される。
【００４０】
図９（ｂ）に示されるように、遮光部１８２が、スリット本体部１８１の短辺１８１ｂの方向に延在する複数の短冊状部材１８２ｃによって構成されてもよい。各短冊状部材１８２ｃは、図示しない駆動機構によってスリット本体部１８１の短辺１８１ｂの延在方向に移動可能に構成される。このようにすることで、スリット本体部１８１の長辺１８１ａ方向に沿った位置に応じて細かく露光量の調整を行うことが可能になる。
【００４１】
また、図２および図９では、露光スリット１８に遮光部１８２を設ける場合を説明したが、他の方法によって露光量を調整してもよい。図１０は、露光装置における遮光方法の一例を示す図である。露光処理部１０には、通常、マスキングブレード１９が露光スリット１８のフォトマスクステージ１３側に設けられる。このマスキングブレード１９で半導体基板４０に照射される領域を制限してもよい。
【００４２】
なお、上記した例では、図５に示されるように、２つのスリット幅で補正プロットを生成する場合を説明したが、３つ以上のスリット幅で補正プロットを生成してもよい。この場合には、スリット幅設定情報は、複数のスリット幅に対して、ずれ指標の絶対値の範囲が規定されることになる。
【００４３】
図１１は、制御部のハードウェア構成の一例を示す図である。制御部２０は、ＣＰＵ（Central  Processing  Unit）３１１と、ＲＯＭ（Read  Only  Memory）３１２と、主記憶装置であるＲＡＭ（Random  Access  Memory）３１３と、ＨＤＤ（Hard  Disk  Drive）、ＳＳＤ（Solid  State  Drive）またはＣＤ（Compact  Disc）ドライブ装置などの外部記憶装置３１４と、液晶表示装置などの表示装置３１５と、キーボードおよびマウスなどの入力装置３１６と、を備えており、これらがバスライン３１７を介して接続された、通常のコンピュータを利用したハードウェア構成となっている。
【００４４】
本実施形態の制御部２０で実行されるプログラムは、図８に示される方法を実行するものであり、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４５】
また、本実施形態の制御部２０で実行されるプログラムを、インターネット等のネットワークに接続されたコンピュータ上に格納し、ネットワーク経由でダウンロードさせることにより提供するように構成してもよい。また、本実施形態の制御部２０で実行されるプログラムをインターネット等のネットワーク経由で提供または配布するように構成してもよい。
【００４６】
また、本実施形態のプログラムを、ＲＯＭ等に予め組み込んで提供するように構成してもよい。
【００４７】
第１の実施形態では、ショット領域についての合わせずれデータを補正するずれ補正波形から各座標におけるずれ指標を算出し、ずれ指標に応じてスリット幅を設定した補正プロットを生成する。そして、補正プロットの各座標位置でのスリット幅にしたがって露光処理時の露光スキャン速度を設定する。これによって、合わせずれが存在するショット領域を露光する際に、合わせずれ量の大きい位置では、スリット幅を狭くしてずれ追従性が高められ、合わせずれ量の小さい位置では、スリット幅を広くして露光スキャン速度が高められる。その結果、露光処理において、露光スキャン速度の劣化を抑えながら、合わせずれを補正して、所望の合わせずれ精度を達成することができる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４９】
［付記］
［付記１］
ショット領域の合わせずれに対応してスリット幅を変更した補正プロットを生成し、
前記補正プロットの前記スリット幅に応じて各座標で所望の露光量が得られる、フォトマスクを載置するフォトマスクステージと被加工物が載置されるステージとの間の相対的な露光スキャン速度を設定し、
前記補正プロットと前記露光スキャン速度とにしたがって、露光スリットの前記スリット幅と、前記フォトマスクステージおよび前記ステージと、を制御しながら露光処理を実行する露光方法。
［付記２］
前記補正プロットの生成は、
合わせずれデータを取得し、
前記合わせずれデータに対応するずれ補正波形を生成し、
前記ずれ補正波形の各座標におけるずれ指標を算出し、
前記ずれ指標と前記スリット幅との関係を規定したスリット幅設定情報を取得して、スリット幅条件を設定し、
前記スリット幅条件を参照して、各座標での前記ずれ指標に対応する前記スリット幅を設定した前記補正プロットを生成することを含む付記１に記載の露光方法。
［付記３］
前記補正プロットの生成は、
前記補正プロットと前記ずれ補正波形との差が許容範囲内であるかを判定することをさらに含み、
前記露光スキャン速度の設定では、前記差が許容範囲内である場合に前記露光スキャン速度が設定される付記２に記載の露光方法。
［付記４］
前記スリット幅設定情報は、前記ずれ指標の絶対値が小さいほど前記スリット幅が大きくなるように、前記ずれ指標に対して複数の前記スリット幅が対応付けられ、
前記補正プロットの生成は、
前記差が許容範囲内でない場合に、前記スリット幅設定情報から、現在設定されている前記スリット幅のつぎに大きいスリット幅を前記スリット幅条件に再設定し、
その後に前記補正プロットの生成を実行することをさらに含む付記３に記載の露光方法。
［付記５］
前記スリット幅設定情報は、前記ずれ指標を複数の範囲に分割し、それぞれの前記範囲に対してスリット幅が設定される付記２に記載の露光方法。
［付記６］
前記スリット幅は、装置的に設定可能な範囲である付記２に記載の露光方法。
［付記７］
前記合わせずれデータは、露光位置のずれを実際に計測したデータ、あるいはシミュレーションによって得られたデータである付記２に記載の露光方法。
［付記８］
光源と、フォトマスクを載置し、前記フォトマスクの載置面に平行な方向に移動可能なフォトマスクステージと、前記光源からの光を前記フォトマスクに照射する照明光学系と、被加工物を載置し、前記被加工物の載置面に平行な方向に移動可能なステージと、前記フォトマスクを通過した光を前記ステージ上の前記被加工物に投影する投影光学系と、前記照明光学系からの光の照射量を調整し、スリット幅を変更可能な露光スリットと、を備える露光処理部と、
前記露光処理部を制御する制御部と、
を備え、
前記制御部は、前記被加工物のショット領域の露光処理中に、前記被加工物の合わせずれ量に対応して前記露光スリットのスリット幅と、前記フォトマスクステージと前記ステージとの間の相対的な露光スキャン速度と、を変更する露光装置。
【符号の説明】
【００５０】
１  露光装置、１０  露光処理部、１１  光源、１２  ウェハステージ、１３  フォトマスクステージ、１４  照明光学系、１５  投影光学系、１６  ウェハステージ駆動機構、１７  フォトマスクステージ駆動機構、１８  露光スリット、１９  マスキングブレード、２０  制御部、２１  合わせずれデータ取得部、２２  ずれ補正波形生成部、２３  ずれ指標算出部、２４  露光スリット設定情報記憶部、２５  スリット幅設定部、２６  補正プロット生成部、２７  補正プロット判定部、２８  露光スキャン速度設定部、２９  露光制御部、４０  半導体基板、５５  フォトマスク、１８１  スリット本体部、１８２  遮光部、１８２ａ  チェーン、１８２ｂ  板状部材、１８２ｃ  短冊状部材、１８３  開口部。
【図１】
2020126140.tif 000003
【図２】
2020126140.tif 000004
【図３】
2020126140.tif 000005
【図４】
2020126140.tif 000006
【図５】
2020126140.tif 000007
【図６】
2020126140.tif 000008
【図７】
2020126140.tif 000009
【図８】
2020126140.tif 000010
【図９】
2020126140.tif 000011
【図１０】
2020126140.tif 000012
【図１１】
2020126140.tif 000013